(57)【要約】【課題】保留標識の表示態様による演出効果を向上し、興趣に富んだパチンコ遊技機を提供する。【解決手段】複数の保留標識３５，３６を、少なくとも保留表示装置１４から消去する直前に、複数種類用意された特殊表示態様３６のいずれかで選択的に表示し、前記複数の保留標識の、消去直前の特殊表示態様３６の順列又は組合せによって、未消化の始動記憶に係る図柄生成行程と、実行中の図柄生成行程の少なくともいずれかについて、図柄が当り態様で停止表示することとなる期待度を報知する保留標識複合演出処理を実行するようにする。【選択図】図７
2014212943.tif 000002
【特許請求の範囲】
【請求項１】
図柄を表示する図柄表示装置と、
遊技球の入賞を検知する球検知手段が配設された始動口と、
該始動口の球検知手段が遊技球を検知することにより、前記図柄の表示態様を決定するための始動記憶を生成する始動記憶生成手段と、
該始動記憶を順次消化することにより、前記図柄表示装置で前記図柄を変動表示させた後に当り態様又はハズレ態様で停止表示させる一連の図柄生成行程を実行する図柄制御手段と、
始動記憶生成手段が生成した始動記憶を、図柄制御手段によって消化されるまで、所定の上限数を限度として記憶保持する始動記憶保持手段と、
前記図柄が当り態様で停止表示されると、特定の入賞口を開放作動させる当り遊技制御手段と、
複数の保留標識を表示可能な保留標識表示装置と、
始動記憶の生成とともに保留標識を保留標識表示装置に追加表示し、当該始動記憶の消化時に当該保留標識を消去することで、始動記憶保持手段が記憶保持する始動記憶の数と同数の保留標識を保留標識表示装置に表示する保留表示手段と
を備えるパチンコ遊技機において、
保留表示手段は、
複数の保留標識を、少なくとも保留表示装置から消去する直前に、複数種類用意された特殊表示態様のいずれかで選択的に表示し、前記複数の保留標識の、消去直前の特殊表示態様の順列又は組合せによって、未消化の始動記憶に係る図柄生成行程と、実行中の図柄生成行程の少なくともいずれかについて、前記図柄が当り態様で停止表示することとなる期待度を報知する保留標識複合演出処理を実行することを特徴とするパチンコ遊技機。
【請求項２】
保留標識複合演出処理中に、保留表示装置から消去された保留標識の、消去直前の特殊表示態様を累積的に表示する消去時態様累積表示装置を備えることを特徴とする請求項１に記載のパチンコ遊技機。
【請求項３】
保留表示手段は、
保留標識複合演出処理では、各保留標識の表示態様を、保留標識表示装置から消去する直前に、特殊表示態様とは異なる通常表示態様から、特殊表示態様に変化させる保留標識変更処理を実行することを特徴とする請求項１又は請求項２に記載のパチンコ遊技機。
【請求項４】
保留表示手段は、
保留標識複合演出処理では、最初の保留標識を特殊表示態様で表示する前に、未消化の始動記憶の内容を参照することによって前記期待度を報知するための特殊表示態様の順列又は組合せを決定する表示態様決定処理を実行し、
該表示態様決定処理で決定した特殊表示態様の順列又は組合せが保留標識表示装置に表示されるように、保留標識変更処理を順次実行することを特徴とする請求項３に記載のパチンコ遊技機。
【発明の詳細な説明】
【技術分野】
【０００１】
本発明は、未消化の始動記憶の数と同数の保留標識を表示するパチンコ遊技機に関する。
【背景技術】
【０００２】
始動口への入賞を契機に図柄を変動表示した後に停止表示する一連の図柄生成行程を実行し、当り態様で停止表示した場合に特定の入賞口を開放作動するパチンコ遊技機は広く知られている。具体的には、従来のパチンコ遊技機では、始動口（特別始動口）へ遊技球が入賞すると抽選が行われ、特別図柄の変動・停止表示態様等を決定する抽選データである始動記憶（特別始動記憶）が生成される。そして、遊技中は、生成された特別始動記憶を順次消化することで図柄生成行程を繰り返し、図柄生成行程の結果、特別図柄が所定の当り態様で停止表示されると当り（大当り）となって、大入賞口が繰り返し開放作動する特別遊技状態に移行する。通常は、特別遊技状態では大入賞口への入賞によって多くの賞球を獲得可能となるから、特別遊技状態の契機となる大当りは、遊技者にとって遊技の勝利につながる最も重要な要素である。
【０００３】
また、上記パチンコ遊技機では、記憶保持する未消化の特別始動記憶の個数（始動記憶数）に上限数が定められており、始動記憶数が上限数である場合には、特別始動口へ入賞しても特別始動記憶を生成しないよう構成される（例えば、特許文献１）。また、かかるパチンコ遊技機では、始動記憶数と同数の保留標識を表示することによって、始動記憶数を遊技者に報知している。保留標識は、点灯したＬＥＤランプや、画像表示器に表示される図柄などで表される。通常、保留標識は、未消化の各特別始動記憶に対応させるように一列に表示される。具体的には、保留標識は、列の先頭に表示されるものほど、消化順位の早い特別始動記憶に対応するように表示され、特別始動記憶が発生するたびに、列の後尾に保留標識が追加表示され、特別始動記憶が消化されるたびに、先頭の保留標識が消去されて、残された保留標識が先頭側にシフトするよう表示される。
【０００４】
また、かかるパチンコ遊技機では、未消化の特別始動記憶の内容に基づいて保留標識を通常とは異なる特殊な態様（特殊表示態様）で表示することにより、当該保留標識に係る図柄生成行程で特別図柄が当り態様で停止表示することとなる期待度（以下、大当りの期待度と言う。）を図柄生成行程開始前に遊技者に報知するようにした構成が提案されている。例えば、四個の保留標識のうち、先頭から三個が通常表示態様（例えば、白色図柄）で表示され、四個目の保留標識が特殊表示態様（例えば、赤色図柄）で表示されている場合、遊技者は、当該時点から４回目の図柄生成行程では、通常よりも大当りが高頻度で発生するとわかる。また、こうしたパチンコ遊技機の中には、複数種類の特殊表示態様を備え、第一の特殊表示態様（例えば、赤色図柄）よりも第二の特殊表示態様（例えば、青色図柄）の方が大当りになり易い、といった具合に、特殊表示態様の種類によって、大当りの期待度に差をつけたものがある。なお、パチンコ遊技機の制御としては、各図柄生成行程で大当りとなるか否かは、特別始動記憶の生成時に決定されるため、かかる大当り期待度は見かけ上のものであるが、特別始動記憶の内容を直接知り得ない遊技者には、このように報知される大当りの期待度は、大当りが発生する確率に等しいものとなる。
【先行技術文献】
【特許文献】
【０００５】
【特許文献１】特開平０８−２３４２２４号公報
【発明の概要】
【発明が解決しようとする課題】
【０００６】
上述のように、従来のパチンコ遊技機では、保留標識を保留標識表示装置から消去するまでに、その表示態様を、通常表示態様から特殊表示態様に変化させたり、第一の特殊表示態様から第二の特殊表示態様に変化させたりする演出が行われている。しかしながら、一般的に、保留標識を表示する領域が遊技盤面に占める割合は小さいため、個々の保留標識の表示態様による演出効果は限定的で、遊技者の期待感を効果的に刺激することは難しかった。
【０００７】
本発明は、かかる現状に鑑みて為されたものであり、保留標識の表示態様を用いた演出効果を向上し、興趣に富んだパチンコ遊技機の提供を目的とする。
【課題を解決するための手段】
【０００８】
本発明は、図柄を表示する図柄表示装置と、遊技球の入賞を検知する球検知手段が配設された始動口と、該始動口の球検知手段が遊技球を検知することにより、前記図柄の表示態様を決定するための始動記憶を生成する始動記憶生成手段と、該始動記憶を順次消化することにより、前記図柄表示装置で前記図柄を変動表示させた後に当り態様又はハズレ態様で停止表示させる一連の図柄生成行程を実行する図柄制御手段と、始動記憶生成手段が生成した始動記憶を、図柄制御手段によって消化されるまで、所定の上限数を限度として記憶保持する始動記憶保持手段と、前記図柄が当り態様で停止表示されると、特定の入賞口を開放作動させる当り遊技制御手段と、複数の保留標識を表示可能な保留標識表示装置と、始動記憶の生成とともに保留標識を保留標識表示装置に追加表示し、当該始動記憶の消化時に当該保留標識を消去することで、始動記憶保持手段が記憶保持する始動記憶の数と同数の保留標識を保留標識表示装置に表示する保留表示手段とを備えるパチンコ遊技機において、保留表示手段は、複数の保留標識を、少なくとも保留表示装置から消去する直前に、複数種類用意された特殊表示態様のいずれかで選択的に表示し、前記複数の保留標識の、消去直前の特殊表示態様の順列又は組合せによって、未消化の始動記憶に係る図柄生成行程と、実行中の図柄生成行程の少なくともいずれかについて、前記図柄が当り態様で停止表示することとなる期待度を報知する保留標識複合演出処理を実行することを特徴とするパチンコ遊技機である。
【０００９】
かかる構成にあっては、保留標識複合演出処理中に、保留標識消去直前の表示態様が、複数合わさることによって大当りの期待度が報知される。かかる演出は、個々の保留標識の表示態様のみで大当りの期待度を報知する従来構成に比べて、複数の保留標識に跨がる大規模なものとなるから、遊技者の注意を惹きやすい演出効果の高いものとなる。また、複数の保留標識の消去直前の特殊表示態様は、保留標識複合演出処理中に一度に判明するのではなく、各保留標識が消去されるにつれて順次判明するため、かかる演出により、遊技者の大当りへの期待感を時間をかけて高められるという利点もある。
【００１０】
本発明にあって、保留標識複合演出処理中に、保留表示装置から消去された保留標識の、消去直前の特殊表示態様を累積的に表示する消去時態様累積表示装置を備えることが提案される。
【００１１】
上述のように、保留標識複合演出処理中は、複数の保留標識の消去直前の特殊表示態様が一度に判明するのではなく、保留標識の消去に伴って順次判明することとなるが、かかる構成では、消去時態様累積表示装置の表示内容によって、保留標識複合演出処理中に消去された各保留標識が、消去直前にどの特殊表示態様であったかを確認できるため、遊技者は、保留標識複合演出処理中に、各保留標識の消去直前の表示態様を記憶する必要がなくなる。
【００１２】
また、本発明にあって、保留表示手段は、保留標識複合演出処理では、各保留標識の表示態様を、保留標識表示装置から消去する直前に、特殊表示態様とは異なる通常表示態様から、特殊表示態様に変化させる保留標識変更処理を実行することが提案される。
【００１３】
かかる構成にあっては、保留標識複合演出処理中は、各保留標識の消去直前の特殊表示態様が、各保留標識の消去直前まで判明しないため、遊技者の緊張感を長時間持続させることができるという利点がある。
【００１４】
また、本発明にあって、保留表示手段は、保留標識複合演出処理では、最初の保留標識を特殊表示態様で表示する前に、未消化の始動記憶の内容を参照することによって前記期待度を報知するための特殊表示態様の順列又は組合せを決定する表示態様決定処理を実行し、該表示態様決定処理で決定した特殊表示態様の順列又は組合せが保留標識表示装置に表示されるように、保留標識変更処理を順次実行することが提案される。
【００１５】
かかる構成にあっては、保留標識複合演出処理の最初の段階で、各保留標識の消去直前の特殊表示態様の順列・組合せを決定する処理を予め行うことで、各保留標識を消去するタイミングに合わせて保留標識変更処理を円滑に実行することが可能となる。また、表示態様決定処理では、各保留標識の消去直前の特殊表示態様の順列・組合せを始動記憶の内容を参照して決定することで、当該特殊表示態様の順列や組合せによって、大当りの期待度を適切に報知可能となる。
【発明の効果】
【００１６】
以上に述べたように、本発明によれば、複数の保留標識の消去直前の表示態様の順列や組合せによって大当りの期待度が報知されるため、個々の保留標識の表示態様のみで大当りへの期待感を示す従来構成の演出に比べて、複数の保留標識に跨がる、大規模な演出を時間をかけて行うことが可能となり、これにより遊技の興趣を向上させることが可能となる。
【図面の簡単な説明】
【００１７】
【図１】パチンコ遊技機１の斜視図である。
【図２】遊技盤１０の正面図である。
【図３】センターケース１３の拡大図である。
【図４】遊技を制御する制御回路を示すブロック図である。
【図５】保留標識３５の増減する態様を示す説明図である。
【図６】保留標識複合演出処理中の保留標識３５，３６の表示例を示す説明図である。
【図７】保留標識複合演出処理中の保留標識３５，３６及び消去時態様標識３８の表示例を示す説明図である。
【図８】保留標識複合演出処理で表示される最終的な文字列と、各文字列によって報知される大当りの期待度を示す図表である。
【図９】保留標識複合演出処理における保留標識３５，３６及び消去時態様標識３８の表示態様の変化を示す説明図である。
【図１０】保留標識追加コマンド決定に係る判定テーブルを示す図表である。
【図１１】メイン処理の処理内容を示すフローチャートである。
【図１２】入賞検出処理の処理内容を示すフローチャートである。
【図１３】特別始動口処理の処理内容を示すフローチャートである。
【図１４】保留標識追加処理の処理内容を示すフローチャートである。
【発明を実施するための形態】
【００１８】
本発明の実施形態を、以下の実施例に従って説明する。なお、以下の実施例のパチンコ遊技機には、特別図柄と普通図柄の２種類の図柄が存在するが、「特別図柄」が本発明に係る「図柄」に相当するものである。そして、特別図柄に係る「特別図柄表示装置１５」、「特別始動口２０」、及び「特別始動記憶」が、本発明に係る「図柄表示装置」、「始動口」、及び「始動記憶」に夫々相当する。また、特別図柄が当り態様で停止表示されることで開放される「大入賞口２５」が本発明に係る「特定の入賞口」に相当する。また、本発明に係る「始動記憶生成手段」、「始動記憶保持手段」、及び「当り遊技制御手段」は、主に、「主制御基板６０」によって実現される。また、本発明に係る「図柄制御手段」は、主に、「主制御基板６０」及び「図柄制御基板６３」によって実現される。また、本発明に係る「保留表示手段」は、主に、「主制御基板６０」，「演出制御基板６４」及び「画像制御基板６５」によって実現される。また、本発明に係る「保留標識表示装置」及び「消去時態様累積表示装置」は、「画像表示器１４」によって実現される。
【００１９】
パチンコ遊技機１は、図１に示すように、遊技島設備（図示省略）に固定される外枠２と、この外枠２の前面開口部を覆う遊技機本体３とからなる。遊技機本体３は、中央上部の略円形の開口部に遊技盤１０が取り付けられた前枠５を備え、この前枠５の一側縁がヒンジ部材４，４を介して外枠２に開閉可能に枢着されている。さらに前枠５には、遊技盤１０を覆うガラス板６が設けられている。また、前枠５の下部には、上受皿７と下受皿８とが上下に列設されており、下受皿８の右側方に発射ハンドル９が配設される。
【００２０】
図２は、遊技盤１０の正面図である。遊技盤１０の前面には、ガイドレール１１によって略円形の遊技領域１２が区画形成されている。遊技領域１２の中央には、各種遊技部材を組み込んだセンターケース１３が配設される。図３は、この遊技領域１２の中央に配設されたセンターケース１３の正面図である。センターケース１３には、画像表示器１４が組み付けられている。画像表示器１４は、液晶表示器又はＣＲＴ表示器等からなり、その表示画面１８には、各種演出画像が表示される。また、後述するように、画像表示器１４の表示画面１８には、本発明に係る保留標識も表示される。
【００２１】
画像表示器１４の下部には、図３に示すように、複数のＬＥＤ（発光ダイオード）が横並びに配設される。これらのＬＥＤのうち、中央の四個は特別図柄表示装置１５であり、右側の２個は普通図柄表示装置１６であり、左側の四個は普通始動記憶数表示装置１７である。
【００２２】
普通図柄表示装置１６は、ＬＥＤの点灯態様によって普通図柄を表示するものである。後述する普通始動口１９を遊技球が通過すると、このＬＥＤが順次点滅することで普通図柄を変動させ、その後にいずれかのＬＥＤが点灯した態様で普通図柄を停止表示する。左側のＬＥＤのみが点灯した態様が当り態様、左右のＬＥＤが点灯した態様がハズレ態様に設定されており、当り態様で停止表示された場合には、後述の普通電動役物２３が拡開作動する。
【００２３】
図２に示すように、センターケース１３の左側方には普通始動口１９を有する普通始動ゲート２１が設けられており、普通始動口１９を遊技球が通過すると、この普通始動ゲート２１に具備された球検知スイッチが球検知信号を出力し、これにより普通図柄に係る始動記憶（普通始動記憶）が生成される。そして、かかる普通始動記憶を消化することにより普通図柄が変動・停止表示することとなる。
【００２４】
前記普通始動記憶数表示装置１７は、図３に示すように、四個のＬＥＤからなるものであり、点灯したＬＥＤの数によって、未消化の普通始動記憶の数を報知する。すなわち、普通始動記憶がｎ個保留されている場合は、四個のＬＥＤのうち、左からｎ個が点灯し、普通始動記憶が一個消化されるたびに、点灯中のＬＥＤのうち、一番右のＬＥＤが消灯する。
【００２５】
前記特別図柄表示装置１５は、ＬＥＤの点灯態様によって特別図柄を表示するものである。後述するように、特別図柄表示装置１５は、所定契機によって、各ＬＥＤを点滅させることにより夫々の特別図柄を変動させ、その後にいずれかのＬＥＤが点灯した態様で特別図柄を停止表示する。本実施例では、一番右のＬＥＤが点灯した態様がハズレ態様、それ以外のＬＥＤのいずれかが点灯した態様が当り態様と設定されており、いずれかの特別図柄が当り態様で停止表示された場合に、いわゆる「大当り」となって後述の特別遊技状態に移行する。
【００２６】
図２に示すように、センターケース１３の直下位置には特別始動口２０を有する普通電動役物２３が配設される。普通電動役物２３は開閉翼片２４を備えている。開閉翼片２４は、ソレノイド（図示省略）によって駆動されるものであり、普通図柄表示装置１６が普通図柄を当り態様で停止表示すると、所定時間拡開する位置に駆動されて特別始動口２０の開口度が所定時間拡大される。そして、特別始動口２０を遊技球が通過すると、普通電動役物２３に内蔵された球検知スイッチ（球検知手段）が球検知信号を出力し、かかる球検知信号に基づいて特別図柄表示装置１５の特別図柄が変動開始する。
【００２７】
普通電動役物２３の直下、かつアウト口３０の直上方位置には、大入賞口２５を有する特別電動役物２６が配設されている。この特別電動役物２６は横長矩形状の開閉片２７を具備し、この開閉片２７は内蔵するソレノイドにより開閉制御されることによって大入賞口２５が開放状態又は閉鎖状態に変換される。また、特別電動役物２６の内部には入賞した遊技球を検知する球検知スイッチが設けられている。
【００２８】
また、特別電動役物２６の両側には、一般入賞口２８を有する一般入賞装置２９が複数配設されており、遊技球が一般入賞口２８に入賞すると、一般入賞装置２９に内蔵された球検知スイッチが球検知信号を出力し、かかる球検知信号に基づいて所定数の賞球が払い出される。
【００２９】
次に、本実施例のパチンコ遊技機の基本的な遊技作動を、図２，３を参照して簡単に説明する。なお、本実施例のパチンコ遊技機の基本的な遊技作動は、既存のパチンコ遊技機と同様であるため詳細な説明は省略する。
【００３０】
本発明のパチンコ遊技機にあっては、通常の遊技状態（通常遊技状態）に加え、特別図柄の当選確率（大当り確率）が通常確率よりも高確率となる確変遊技状態と、特別図柄の当り（大当り）によって開始される上記特別遊技状態といった三つの遊技状態がある。
【００３１】
通常遊技状態及び確変遊技状態にあっては、遊技球が発射装置から遊技盤１０の遊技領域１２に発射され、該遊技球が特別始動口２０を通過した場合、乱数抽選が行われて特別始動記憶が生成される。この特別始動記憶は、特別図柄の変動・停止パターンや変動中の演出パターンを決定するための乱数データである。そして、生成された特別始動記憶に基づいて、特別図柄を変動表示させた後に停止表示する一連の図柄生成行程が実行される。詳述すると、図柄生成行程では、特別図柄の変動（ＬＥＤの点滅）が、２〜１５０秒程度継続し、変動後に特別図柄が一定時間（１秒）以上停止表示される。ここで、特別図柄が当り態様で停止表示されると大当りとなり、後述の特別遊技状態に移行する。
【００３２】
また、図柄生成行程中は、画像表示器１４の表示画面１８で画像演出が行われ、また、画像演出に合わせてスピーカや装飾用ランプが所定態様で作動する。図柄生成行程中の画像演出は、「０」〜「９」のいずれかの図柄で停止する三つの演出図柄３４を中心に行われる。すなわち、図柄生成行程中は、特別図柄の変動と同期して演出図柄３４が変動し、特別図柄の停止と同期して演出図柄が当り態様又はハズレ態様で停止表示される。ここで、演出図柄３４の当り態様は、三つの演出図柄３４が同一図柄で停止した態様と規定される。そして、図柄生成行程中の画像演出では、時折、リーチ演出が行われる。
【００３３】
遊技球の特別始動口２０通過によって生成される特別始動記憶は一時的に記憶保持され、古い特別始動記憶から順番に図柄生成行程に用いられる。そして、図柄生成行程の実行により当該特別始動記憶が消化されると記憶消去される。本実施例では、記憶保持可能な特別始動記憶の上限数が四個に設定されており、特別始動記憶を四個記憶保持している時は、遊技球が特別始動口２０を通過しても、新たな特別始動記憶を記憶保持しないよう構成される。
【００３４】
次に、通常遊技状態及び確変遊技状態での普通図柄表示装置１６の変動態様について概説する。
遊技球が普通始動口１９を通過すると、普通図柄表示装置１６の二個のＬＥＤが点滅開始して、普通図柄が変動開始する。一方、この普通図柄表示装置１６の点滅中又は普通電動役物２３の開放動作中に、遊技球が普通始動口１９を通過すると、普通始動記憶数表示装置１７のＬＥＤが追加点灯される。普通図柄は所定時間経過すると変動を停止し、当り態様又はハズレ態様で停止表示される。そして当り態様で停止表示された場合には普通電動役物２３の拡開作動が実行されて特別始動口２０に入賞し易い状態となる。普通図柄の停止表示後、又は普通電動役物２３の開放動作終了後に、普通始動記憶数表示装置１７のＬＥＤが点灯している場合には、該ＬＥＤが一つ消灯し、普通図柄は再び変動開始することとなる。
【００３５】
次に、通常遊技状態と確変遊技状態の違いを説明する。
確変遊技状態は、通常遊技状態の確率より高確率で特別図柄が当り易くなる遊技状態である。具体的には、通常遊技状態中の当選確率が１／３００であるのに対し、確変遊技状態では当選確率が１／３０となるので、確変遊技状態は通常遊技状態よりも１０倍当り易いといえる。また、確変遊技状態では、特別図柄を変動表示する平均時間が通常遊技状態の半分に短縮されるとともに、普通図柄の変動時間も通常遊技状態よりも短縮される。さらには、確変遊技状態では、普通図柄の当選確率が通常遊技状態よりも高確率となるとともに、普通電動役物２３が拡開作動する時間が通常遊技状態より長くなり、特別始動口２０が長時間拡開される。このように確変遊技状態では、普通電動役物の開放頻度や開放時間が増えることで、特別始動口２０に入賞し易くなる。
【００３６】
次に、特別遊技状態について説明する。
特別遊技状態は、大入賞口２５が開放作動する開閉ラウンドを所定回数実行する遊技状態であり、上述のように、通常遊技状態又は確変遊技状態でいずれかの特別図柄が当り態様で停止表示されて大当りとなると開始され、所定回数の開閉ラウンドを終了すると特別遊技状態が終了し、通常遊技状態又は確変遊技状態へ移行する。ここで、特別遊技状態は、１回当りの開放時間が３０秒の開閉ラウンドを１５回繰り返すと終了する。この特別遊技状態では、大入賞口２５へ１００個以上の入賞が期待でき、遊技者は多量の賞球を獲得できる。
【００３７】
次に、本実施例のパチンコ遊技機の遊技作動を制御する制御回路を、図４を参照して説明する。
【００３８】
マイクロコンピュータを構成する主制御基板６０には、パチンコ遊技機の遊技作動等を制御するための基板回路が設けられている。この主制御基板６０は、遊技の統括的な制御を実行するものであり、この基板回路上には主制御用中央制御装置ＣＰＵが配設されている。この主制御用中央制御装置ＣＰＵには、演算処理に用いる動作プログラムを格納する記憶装置ＲＯＭと、必要なデータを随時読み書きできる記憶装置ＲＡＭとが、データを読み書きするアドレスを指定する情報を一方的に伝えるアドレスバス（図示省略）と、データのやり取りを行うデータバス（図示省略）を介して接続され、主制御基板６０の基板回路を構成している。記憶装置ＲＯＭには、制御プログラムや、特別始動口２０の入賞時に生成される特別始動記憶を参照して、当落判定や図柄の変動・停止態様等を決定するための各種テーブルが格納されている。
【００３９】
一方、記憶装置ＲＡＭには、各種球検知スイッチからの球検知信号等が一時的に記憶される記憶エリア、各種のタイマや乱数カウンタ、計数カウンタ等を構成するレジスタ領域、及びワークエリア等が設けられている。
【００４０】
さらに、この主制御基板６０の基板回路には、所定のクロックパルスを出力するクロック装置（図示省略）が設けられ、主制御用中央制御装置ＣＰＵに接続されている。そして主制御用中央制御装置ＣＰＵは、一定間隔のクロックパルスによって時系列的に演算処理を行い、一連の処理作動を順次実行する。また、このクロック装置により出力されたクロックパルスをカウントして、時間を計測するタイマＴＭも接続されている。
【００４１】
ここで主制御用中央制御装置ＣＰＵ、及び後述する各制御基板６３〜６７に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されるものである。
【００４２】
記憶装置ＲＡＭに設けられた特別始動記憶領域は、四つの記憶領域１〜４を備え、各記憶領域１〜４に特別始動記憶を一個ずつ記憶するようになっている。特別始動記憶は、古いものから順に、記憶領域１、記憶領域２、記憶領域３、記憶領域４の順番に記憶される。図柄生成行程の開始時には、記憶領域１の特別始動記憶が読み出され、記憶領域２〜４の特別始動記憶が、記憶領域１〜３にシフトされる。また、記憶装置ＲＡＭには、特別始動記憶領域に記憶される特別始動記憶の保留数が、特別始動記憶数Ｐとして記憶保持される。
【００４３】
主制御基板６０の記憶装置ＲＡＭの記憶領域に設けられる各乱数カウンタについて説明する。
【００４４】
大当りカウンタは０〜２９９の範囲の値を取るものであり、特別始動口２０へ入賞するとその時点の大当りカウンタの値が抽出される。そして抽出された大当りカウンタ値は、所定の大当り値と比較され、抽出された大当りカウンタ値が大当り値と一致していた場合には「大当り（特別図柄の当選）」となり、不一致であった場合には「ハズレ」となる。ここで所定大当り値には、高確率時の大当り値「７，１１，３７，８７，１２７，１７７，２０７，２３３，２５７，２７３」と通常確率時の大当り値「７」の二種類があり、通常遊技状態では、大当りカウンタ値は通常確率時の大当り値と比較されるが、上述の確変遊技状態では、高確率時の大当り値と比較される。すなわち、通常遊技状態では、抽出された大当りカウンタ値が「７」の場合にのみ当選となり、確変遊技状態では、抽出された大当りカウンタ値が「７，１１，３７，８７，１２７，１７７，２０７，２３３，２５７，２７３」の場合に当選となる。したがって、通常遊技状態では、当選確率は１／３００であり、確変遊技状態では、当選確率は１０／３００（＝１／３０）となる。
【００４５】
また、図柄カウンタは０〜９の範囲の値を取るものであり、特別始動口２０へ入賞するとその時点の図柄カウンタの値が抽出される。上記大当りカウンタ値の判定結果が「大当り」である場合に、抽出された図柄カウンタの抽出値が、当選種類に対応する所定の当選種判定値と一致するか否かによって当りの種類が決定される。具体的には、抽出された図柄カウンタ値が「０〜４」の場合には「通常当り」と決定され、抽出された図柄カウンタ値が「５〜９」の場合には「確変当り」と決定される。
【００４６】
また、リーチカウンタは０〜９９の範囲の値を取るものであり、特別始動口２０へ入賞するとその時点のリーチカウンタの値が抽出される。抽出されたリーチカウンタ値は、図柄生成行程中にリーチ演出を行うか否かを決定するのに用いられる。リーチ演出を行うか否かは、このリーチカウンタ値だけでなく、上記大当りカウンタ値の判定結果や遊技状態や特別始動記憶数Ｐなどに応じて決定される。
【００４７】
態様カウンタは、０〜３９９の範囲の値を取るものであり、特別始動口２０へ入賞するとその時点の態様カウンタの値が抽出される。抽出された態様カウンタ値は、図柄生成行程中の演出内容を決定するのに用いられる。図柄生成行程中の演出内容は、この態様カウンタ値だけでなく、上記大当りカウンタ値やリーチカウンタ値、さらには、遊技状態や特別始動記憶数Ｐなどに応じて決定される。
【００４８】
特別始動口２０への入賞を契機に各カウンタから抽出される以上の各カウンタ値は、図柄生成行程における特別図柄の変動態様及び停止図柄を規定するものであり、抽出後は特別始動記憶として纏められて記憶装置ＲＡＭの特別始動記憶領域に保持され、当該特別始動記憶に基づいて図柄生成行程が開始されると消去される。
【００４９】
普通当りカウンタは０〜３０の範囲の値を取るものであり、遊技球が普通始動ゲート２１を通過するとその時点の普通当りカウンタの値が抽出される。そして抽出された普通当りカウンタ値は、所定の当り値と比較され、抽出された普通当りカウンタ値が該当り値と一致していた場合には内部的に「当り（普通図柄の当選）」となり、不一致であった場合には「ハズレ」となる。
【００５０】
また、標識態様カウンタは０〜５の範囲の値を取るものであり、保留標識を追加表示する際にその時点の標識態様カウンタの値が抽出される。この標識態様カウンタの抽出値は、保留標識の変化パターンを決定するのに用いられる。
【００５１】
また、この主制御基板６０の基板回路には、主制御用中央制御装置ＣＰＵが周辺機器とデータ通信を行う入力ポート（図示省略）及び出力ポート（図示省略）が設けられており、この出力ポートを介して主制御基板６０からの制御指令が、図柄制御基板６３、及び演出制御基板６４の各入力ポートに向け、一方向に出力されるように接続されている。また、主制御基板６０の入力ポートには、盤面中継基板６１を介して、普通始動ゲート２１、普通電動役物２３、特別電動役物２６、一般入賞装置２９等が接続されている。そして、主制御基板６０が２ｍｓごとに、これらに内蔵された各スイッチの遊技球検出状態を調べ、遊技球検出があると、その球検出信号が波形整形回路により波形整形されて主制御用中央制御装置ＣＰＵに入力され、その情報を記憶装置ＲＡＭに記憶する。また、主制御基板６０の出力ポートには、盤面中継基板６１を介して普通電動役物２３や特別電動役物２６等が接続されており、主制御用中央制御装置ＣＰＵが所定の条件を選出した場合に、これらに内蔵されたソレノイドやモータを作動させる。
【００５２】
上記の図柄制御基板６３には、特別図柄表示装置１５及び普通図柄表示装置１６を制御するための基板回路が設けられている。この基板回路は、特別図柄表示装置１５及び普通図柄表示装置１６のＬＥＤの点灯、点滅等を制御する図柄制御用中央制御装置ＣＰＵに、動作プログラムや、ＬＥＤを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この図柄制御基板６３は、図柄制御用中央制御装置ＣＰＵで、上記の主制御基板６０から入力ポートを介して入力された制御信号を演算処理し、所定の光データを、出力ポートを介して、特別図柄表示装置１５及び普通図柄表示装置１６のＬＥＤを発光作動するドライバを配した図柄作動基板に出力し、この図柄作動基板が、各装置のＬＥＤを点灯、点滅させる。
【００５３】
上記の演出制御基板６４には、画像表示器１４、演出用ランプ、スピーカ等の演出用装置の作動を統括的に制御するための基板回路が設けられる。この基板回路は、演出用装置を制御処理する演出制御用中央制御装置ＣＰＵに、多岐にわたる演出態様に関する固定データが格納されている記憶装置ＲＯＭと、必要なデータを読み書きできる記憶装置ＲＡＭと、入力ポート及び出力ポートとが接続されて構成されている。演出制御基板６４の出力ポートには、画像表示器１４を制御する画像制御基板６５、スピーカを制御する音源制御基板６６、及びＬＥＤランプによる演出を制御する光源制御基板６７が接続されている。そして、演出制御基板６４は、主制御基板６０からの制御信号が入力ポートに入力されると、演出制御用中央制御装置ＣＰＵにおいて演算処理し、該制御信号で指示された演出態様を実行するために、画像制御基板６５、音源制御基板６６、及び光源制御基板６７へ向けて制御信号を送信する。
【００５４】
上記の画像制御基板６５には、画像表示器１４の表示態様を制御するための基板回路が設けられる。この基板回路は、表示態様を制御処理する画像制御用中央制御装置ＣＰＵに、動作プログラムや画像データ等の固定データが格納されている記憶装置ＲＯＭと、描画領域等のデータを読み書きする領域が設けられた記憶装置ＲＡＭと、入力ポート及び出力ポートとが接続されて構成されている。画像制御基板６５は、演出制御基板６４から画像演出等の表示に係る信号を受信すると、画像制御用中央制御装置ＣＰＵにおいて演算処理し、所要の画像データを記憶装置ＲＡＭに書き込んで一画面分の画像データを作成し、出力ポートを介して画像表示器１４に出力し、画像表示器１４の表示画面１８に、出力した画像データに係る画像を表出させる。
【００５５】
上記の音源制御基板６６には、スピーカから発生する効果音等を制御するための基板回路が設けられる。この基板回路は、音響を制御する音源制御用中央制御装置ＣＰＵに、動作プログラムや音声データ等の固定データが格納されている記憶装置ＲＯＭと、必要なデータを読み書きする記憶装置ＲＡＭと、入力ポート及び出力ポートとが接続されて構成されている。音源制御基板６６は、演出制御基板６４から演出音声等の出力に係る信号を受信すると、所要の音声データを記憶装置ＲＡＭで展開・混合してスピーカに送出し、スピーカから出力させる。
【００５６】
上記の光源制御基板６７には、遊技機本体３に配設された多数の演出用ランプ等を制御するための基板回路が設けられている。この基板回路は、演出用ランプ等の点灯、点滅等を制御する光源制御用中央制御装置ＣＰＵに、動作プログラムや、演出ランプを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この光源制御基板６７は、光源制御用中央制御装置ＣＰＵで、上記の演出制御基板６４から入力ポートを介して入力された制御信号を演算処理し、出力ポートを介して、各種の演出用ランプを点灯、点滅させる。
【００５７】
次に、保留標識の表示について説明する。
保留標識３５は、図５に示すように、表示画面１８の下部に設けられた保留標識表示部３１に表示される。この保留標識３５は通常は丸形図柄である。なお、図５において、「３４」は特別図柄に合わせて変動・停止する演出図柄であり、「３３」は演出図柄３４の背景となる演出画像である。保留標識表示部３１は、四つの保留標識３５を横一列に表示し得る横長矩形状をなしており、保留標識表示部３１には、左端を先頭にして、保留標識３５が特別始動記憶数Ｐと同じ数だけ表示される。詳述すると、特別始動記憶が生成されるたびに、列の後尾（右端）に保留標識３５を一個追加する保留追加表示が行われ、また、特別始動記憶が消化されるたびに、保留標識３５を一個消去する保留減少表示が行われる。例えば、特別始動記憶数Ｐが「２」の時は、図５（ｃ）に示すように、保留標識表示部３１の左端の部分（第一表示部３１ａ）と、左側から二番目の部分（第二表示部３１ｂ）とに二個の保留標識３５が横並びに表示される。
【００５８】
図５（ｃ）の状態で、特別始動口２０に入賞すると、図５（ｄ）に示すように、二個の保留標識３５の右側の部分（第三表示部３１ｃ）に、三個目の保留標識３５が追加され、さらに、特別始動口２０に入賞すると、図５（ｅ）に示すように、保留標識表示部３１の右端部分（第四表示部３１ｄ）に四個目の保留標識３５が追加される。一方、図５（ｃ）に示す状態で、新たな図柄生成行程が開始されると、図５（ｂ）に示すように、保留標識３５が一個消去され、さらに図柄生成行程が開始されて特別始動記憶数ＰがＰ＝０となると、図５（ａ）に示すように、全ての保留標識３５が消去される。ここで、図５では、全ての保留標識３５が同じ表示態様であるため不明確であるが、保留標識３５は、特別始動記憶領域に記憶保持された各特別始動記憶と対応付けて表示されている。具体的には、保留標識表示部３１の先頭（左側）の保留標識３５ほど、消化順位の高い、すなわち古い特別始動記憶に対応しており、保留減少表示では、列の先頭（第一表示部３１ａ）の保留標識が消去され、残りの保留標識が先頭側にシフトすることとなる。
【００５９】
本実施例では、保留標識は、丸形図柄又は文字で表示される。本実施例では、これらの表示態様のうち、丸形図柄による表示態様を通常表示態様とし、文字による表示態様を特殊表示態様としている。なお、後述するように、特殊表示態様の保留標識は、一種類の文字に限らず複数種類の文字が存在する。保留標識は、通常は、図５に示すように、通常表示態様３５でのみ表示されるが、以下に述べる保留標識複合演出処理が実行された場合には、図６に示すように、保留標識が特殊表示態様３６で表示される。
【００６０】
以下に、本発明の要部に係る保留標識複合演出処理について説明する。
保留標識複合演出処理は、通常遊技状態で特別始動記憶数ＰがＰ＝３の状態で、所定内容の特別始動記憶が生成された時に開始される。そして、保留標識複合演出処理では、保留標識表示部３１に表示された通常表示態様の保留標識３５が、保留減少表示にで消去される直前に特殊表示態様３６で表示される。そして、保留標識複合演出処理中に消去された保留標識の、消去直前の特殊表示態様３６の順列によって大当りの期待度が報知されるよう構成される。
【００６１】
図６（ａ）〜（ｅ）は、保留標識複合演出処理中の保留標識３５，３６の変化を示した一例である。かかる例を用いて保留標識複合演出処理中の保留標識３５，３６の変化を説明する。かかる例では、まず、図６（ａ）に示すように、保留標識表示部３１に、四個目の保留標識３５が追加表示されたタイミングで保留標識複合演出処理が開始される。保留標識複合演出処理が開始されても、特別図柄や演出図柄３４が停止するまでは、保留標識は通常表示態様３５のまま表示される。そして、特別図柄や演出図柄３４の変動が停止して、特別図柄や演出図柄３４を停止表示する期間となると、図６（ｂ）から図６（ｃ）にかけて示すように、左端の第一表示部３１ａの保留標識が、通常表示態様３５から「天」の文字の特殊表示態様３６に変化する。そして、特別図柄や演出図柄３４の停止表示期間が終了し、次の図柄生成行程が開始されるタイミングになると、図６（ｄ）に示すように、特殊表示態様３６で表示された左端の保留標識が消去され、その右側に表示されていた三個の保留標識が通常表示態様３５のまま左側にシフトする。そして、図６（ｅ）に示すように、特別図柄や演出図柄３４が変動開始することにより、新たな図柄生成行程が開始する。
【００６２】
ここで、保留標識複合演出処理中に消去された保留標識３６の特殊表示態様は、図６（ｄ）に示すように、保留標識表示部３１の左方に設けられた消去時態様表示部３２に累積表示される。消去時態様表示部３２は、保留標識表示部３１よりも一回り小さい横長矩形状をなしており、その内部に、保留標識３６の消化直前の特殊表示態様を、小さめのサイズで横一列に最大四個まで表示し得るようになっている。具体的には、図６（ｄ）に示すように、「天」の文字の保留標識３６が保留標識表示部３１から消去されると、「天」の文字を小さめに表した消去時態様標識３８が、消去時態様表示部３２の左端に表示される。このように、消去時態様表示部３２に表示された消去時態様標識３８は、保留標識複合演出処理が終了するまで表示される。
【００６３】
このように、保留標識複合演出処理では、消去される直前に保留標識が通常表示態様３５から特殊表示態様３６に変化し、当該保留標識が保留標識表示部３１から消去されると、その特殊表示態様は消去時態様表示部３２に表示される。そして、保留標識複合演出処理では、かかる処理が複数回繰り返されることで、消去時態様表示部３２に消去時態様標識３８が複数個表示される。図７（ａ）〜（ｊ）は、保留標識複合演出処理の開始から終了までの保留標識表示部３１及び消去時態様表示部３２の表示例を示したものである。かかる例では、まず、図７（ａ）に示すように、四個目の保留標識３５が保留標識表示部３１に追加表示されたタイミングで保留標識複合演出処理が開始される。次に、図７（ｂ）に示すように、左端の保留標識が消去直前に「天」の文字の特殊表示態様３６に変化し、当該保留標識３６が消去される。続いて、図７（ｃ）に示すように、「天」の文字の消去時態様標識３８が消去時態様表示部３２に表示される。ここまでの流れは、図６に示した例と同じである。そして、図７（ｄ）に示すように、次の保留標識は、消去直前に「下」の文字の特殊表示態様３６に変化し、当該保留標識が消去されると、図７（ｅ）に示すように、消去時態様表示部３２には、「天」の文字の消去時態様標識３８の右側に「下」の文字の消去時態様標識３８が追加表示される。
【００６４】
以下同様に、図７（ｆ）から図７（ｉ）に示すように、三番目の保留標識は消去直前に「統」の文字の特殊表示態様３６で表示され、四番目の保留標識は「一」の文字の特殊表示態様３６で表示され、各保留標識３６が消去された後は、消去直前の特殊表示態様３６を表した消去時態様標識３８が、表示済みの消去時態様標識３８の右側に追加表示され、図７（ｉ）では、消去時態様表示部３２に「天下統一」の文字列が表示される。かかる例では、「天下統一」の文字列が、この保留標識複合演出処理で表示される最終的な文字列であり、この文字列によって、図柄生成行程で大当りとなる期待度が報知される。ここで、大当りの期待度報知対象の図柄生成行程は、「一」の文字の保留標識３６の消去とともに開始される図柄生成行程であり、当該図柄生成行程が終了すると、図７（ｊ）に示すように、消去時態様表示部３２に表示されていた「天下統一」の文字列がクリアされ、これにより、一連の保留標識複合演出処理が終了する。そして、これ以降に消去される保留標識は、通常表示態様３５のまま消去される。
【００６５】
上述のように、保留標識複合演出処理では、保留標識が消去直前に特殊表示態様３６に変化し、当該保留標識の消去とともに消去時態様表示部３２に消去時態様標識３８が順次追加されて累積的に表示される。そして、消去直前に表示された特殊表示態様３６の最終的な順列によって大当りの期待度が報知される。
なお、この特殊表示態様３６の順列は、消去時態様表示部３２に消去時態様標識３８の順列として表示されるため、遊技者は保留標識消去時の特殊表示態様３６を記憶しておく必要はない。
【００６６】
そして、本実施例では、図７（ｉ）に示すように、特殊表示態様３６の順列が「天下統一」の文字列となった場合には、図柄生成行程において大当りとなる割合が極めて高くなるよう構成されている。具体的には、消去時態様表示部３２に「天下統一」の文字列が表示された場合には、「一」の文字の保留標識３６の消去とともに開始される図柄生成行程で５０％の割合で特別図柄が当り態様で停止表示される。このため、図７（ｉ）に示すように、消去時態様表示部３２に「天下統一」の文字列が表示された場合には、遊技者は、当該回の図柄生成行程で大当りとなる確率が極めて高いとわかる。
【００６７】
保留標識複合演出処理で、消去時の特殊表示態様３６の順列が構成される最終的な文字列は、図８に示すように、「天地」、「天下一」、「天下統二」、「天下統一」の四種類が用意される。この中で、高い大当りの期待度（５０％）を報知するものは「天下統一」のみであり、その他の文字列は、報知対象の図柄生成行程が１００％ハズレとなる、すなわち、大当りの期待度０％を報知するものとなっている。ここで、各文字列は、先頭の１〜３文字を共通させることで、各文字列を構成する文字列が全て表示されるまで、遊技者が、最終的な文字列を確信し得ないよう構成される。
【００６８】
図９は、保留標識複合演出処理中の保留標識表示部３１及び消去時態様表示部３２の表示内容のバリエーションを示したものである。保留標識複合演出処理では、いずれの場合でも、図９（ａ）から図９（ｂ）に示すように、最初に消去されることとなる保留標識が、消去直前に「天」の文字からなる特殊表示態様３６で表示される。最終的に表示され得る四種類の文字列は、全て「天」の文字から始まるため、遊技者は、この段階では「天下統一」の文字列が表示されるか否か判別できない。図９（ｃ１）に示すように、「天下」の文字列が表示された場合でも、図９（ｄ１）に示すように、「天下統」の文字列が表示された場合でも、最終的に「天下統一」以外の文字列が表示され得るため、遊技者は「天下統一」の文字列が全て表示されるまで、大当りの期待度が５０％であることを確信できない。一方で、図９にあって、「天下統一」の文字列が表示されると確信できはしないものの、消去時態様表示部３２の表示が（ａ）→（ｂ）→（ｃ１）→（ｄ１）と進むにつれて、「天下統一」の文字列が表示される蓋然性は徐々に高まるため、遊技者の大当りへの期待は膨らんでいくこととなる。例えば、図９（ａ）の段階では、保留標識が特殊表示態様で１つも表示されていないため、図９（ａ）の右下に示すように、図柄生成行程で大当りとなる期待度は１％未満であるが、図９（ｂ）の段階では、「天下統一」（期待度５０％）が表示される場合と、その他の三種類の文字列（期待度０％）が表示される場合が混在した状態であるため、図９（ｂ）の右下に示すように、その段階での大当りの期待度は５０％と０％の間の約７％に上昇する。これが、図９（ｃ１）の段階になると、期待度０％を示す「天地」の文字列が表示され得なくなる分だけ、「天下統一」が表示される可能性が相対的に上昇するから、その段階での大当りの期待度は５０％と７％の間の約１１％となる。同様に、図９（ｄ１）の段階では、さらに、期待度０％を示す「天下一」の文字列が表示され得なくなることにより、大当りの期待度は５０％と１１％の間の２０％となる。このように、本実施例にあっては、保留標識複合演出処理中に、保留標識が特殊表示態様３６に順次変化していくことによって、最終的な文字列が表示される前に、遊技者の期待感を段階的に刺激することができる。
【００６９】
以上のように、本実施例にあっては、保留標識複合演出処理の実行時に、複数の保留標識の特殊表示態様３６の順列によって大当りの期待度が報知されるため、複数の保留標識３６に跨がる大規模な演出が可能となる。また、複数の保留標識３６の消去直前の特殊表示態様３６は、保留標識複合演出処理中に一度に判明するのではなく、各保留標識が消去されるにつれて順次判明するため、保留標識複合演出処理中に、遊技者の大当りへの期待感を時間をかけて盛り上げることができるという利点もある。
【００７０】
また、本実施例にあっては、保留標識の消去直前の特殊表示態様３６が、当該保留標識の消去後に、消去時態様標識３８として消去時態様表示部３２に累積的に表示されるため、遊技者は、保留標識複合演出処理中に消去される保留標識の特殊表示態様３６を記憶しておく必要がない。
【００７１】
また、保留標識複合演出処理では、各保留標識は消去される直前まで通常表示態様３５で表示され、消去される間際までどの特殊表示態様３６で表示されるか判明しないため、保留標識複合演出処理中に、遊技者の緊張感を長時間持続させることができ、これにより演出効果を向上させることができるという利点がある。
【００７２】
次に、保留標識３５，３６の表示制御方法について説明する。
上述のように、特別始動記憶及び特別始動記憶数Ｐは、主制御基板６０に記憶保持されており、主制御基板６０は、特別始動記憶数Ｐの増減に合わせて、保留標識３５，３６の表示制御に係るコマンドを演出制御基板６４に対して送信する。具体的には、特別始動記憶数Ｐが増加すると、主制御基板６０は、保留標識追加コマンドを演出制御基板６４に送信する。演出制御基板６４は、保留標識追加コマンドを受信すると、画像表示器１４の表示画面１８に保留標識３５を一個追加表示させるよう制御する。一方、主制御基板６０は、特別始動記憶数Ｐが減少すると、保留標識減少コマンドを演出制御基板６４に送信する。演出制御基板６４は、かかるコマンドを受信すると、画像制御基板６５に制御コマンドを送信し、左端の第一表示部３１ａに表示している保留標識３５，３６を消去し、他に保留標識３５，３６を表示している場合には、それらの保留標識３５，３６の表示位置を左方に一つずつシフトさせるよう制御する。
【００７３】
保留標識複合演出処理を開始するか否かは、主制御基板６０が保留標識追加コマンドを送信する際に決定する。保留標識追加コマンドは五種類あり、主制御基板６０は、保留標識複合演出処理を実行しないと決定した場合は、演出制御基板６４に第一保留標識追加コマンドを送信し、保留標識複合演出処理を実行すると決定した場合は、演出制御基板６４に第二〜第五保留標識追加コマンドのいずれかを送信する。演出制御基板６４は、どの保留標識追加コマンドを受信した場合でも保留標識が通常表示態様３５で追加するが、第二〜第五保留標識追加コマンドを受信した場合は、当該コマンドの受信を契機に保留標識複合演出処理に係る表示制御を開始する。
【００７４】
保留標識複合演出処理で表示される特殊表示態様３６の文字列は、保留標識追加コマンドの種類によって決定される。具体的には、第二保留標識追加コマンドの場合は、「天下統一」の文字列となるように、演出制御基板６４が、消去直前の保留標識の特殊表示態様３６を順次決定する。すなわち、演出制御基板６４は、四つの保留標識の表示態様が、消去直前に「天」「下」「統」「一」の文字に順番に変化するよう制御する。同様に、第三保留標識追加コマンドの受信時は、演出制御基板６４は、消去直前の保留標識の特殊表示態様３６が「天下統二」の文字列となるよう制御し、また、第四保留標識追加コマンドの受信時は「天下一」の文字列、そして、第五保留標識追加コマンドの場合は「天地」の文字列となるように制御する。
【００７５】
より詳述すると、主制御基板６０は、通常遊技状態にあって、特別始動記憶数ＰがＰ＝４となる特別始動記憶が生成されると、当該特別始動記憶に含まれる大当りカウンタ値や、別途抽出した標識態様カウンタ値などを、図１０に示す判定テーブルと比較することで、いずれの保留標識追加コマンドを送信するかを決定する。一方、演出制御基板６４は、保留標識複合演出処理の開始を指示する保留標識追加コマンドを受信すると、当該コマンドで指示された文字列となるように、演出図柄３４の停止表示期間となるたびに保留標識を所要の特殊表示態様３６に変更する。また、演出制御基板６４は、保留標識減少コマンドの受信するたびに、当該特殊表示態様３６の保留標識を消去して、消去時態様標識３８を消去時態様表示部３２に追加表示する。このように、本実施例では、保留標識複合演出処理の開始時点で、特別始動記憶の内容に基づいて保留標識複合演出処理中に表示する文字（特殊表示態様３６）の順列を決定することで、当該文字の順列によって大当りの期待度を適切に報知し得るよう制御している。
【００７６】
次に、上記構成からなるパチンコ遊技機の制御処理について、図１１〜１４に従って説明する。図１１は、主制御用中央制御装置ＣＰＵで所定間隔（２ｍｓ）で実行されるメイン処理の制御内容を示すフローチャートである。このメイン処理によって、遊技の主要な制御処理が実現される。
【００７７】
メイン処理では、まず、電源投入時であるか否かの判定を行う（Ｓ１０１）。そして、電源投入時でないと判定した場合には、入賞に係る制御処理を行う入賞検出処理（Ｓ１０２）、各種乱数カウンタの値を更新するカウンタ値更新処理（Ｓ１０３）、異常検出処理（Ｓ１０４）、特別図柄の当選判定等を行う特別始動口処理（Ｓ１０５）、普通図柄の当選判定等を行う普通始動口処理（Ｓ１０６）、特別図柄の表示制御等を行う特別図柄処理（Ｓ１０７）、普通図柄の表示制御を行う普通図柄処理（Ｓ１０８）、特別遊技状態に係る制御を行う大入賞口処理（Ｓ１０９）、普通電動役物２３の作動制御を行う普通電動役物処理（Ｓ１１０）、各制御基板へ制御コマンドを出力するコマンド出力処理（Ｓ１１１）の１０個のサブルーチンを順番に実行する。そして、コマンド出力処理（Ｓ１１１）を実行した後は、各種乱数カウンタの初期値を更新する初期値更新処理（Ｓ１１２）をリセット信号が送信されるまで繰返し実行する。
【００７８】
一方、ステップＳ１０１で電源投入時であると判定した場合には、停電時の復帰処理を行うか否かを判定する一連の処理を行う（Ｓ１１３〜Ｓ１１５）。そして、停電時の復帰処理を行うと判定した場合には、各制御基板へ復電時のコマンドを送信し（Ｓ１１６）、電源切断前の番地から処理を再開する。これに対し、停電時の復帰処理を行わないと判定した場合には、ステップＳ１０２に移行する。
【００７９】
なお、このメイン処理の制御処理内容の多くは、従来のパチンコ遊技機で採用されているものである。このため、以下では、本発明の要部に係るサブルーチンについての制御処理のみ詳述し、従来機同様の制御処理を行うサブルーチンについての説明は省略する。
【００８０】
次に、上記入賞検出処理（図１１、Ｓ１０２）を図１２にしたがって説明する。
【００８１】
まず、主制御用中央制御装置ＣＰＵは、特別始動口２０への入賞があったか否か、すなわち、普通電動役物２３の球検知スイッチから球検出信号の入力があったか否かを判定する（Ｓ２０１）。そして、特別始動口２０への入賞がないと判定した場合は、ステップＳ２０８へ移行する。一方、特別始動口２０への入賞があったと判定した場合は、賞球数四個の賞球コマンドをセットして（Ｓ２０２）、ステップＳ２０３へ移行する。
【００８２】
ステップＳ２０３では、特別始動記憶数ＰがＰ＜４であるか否かを判定し、Ｐ＜４でないと判定した場合は、そのままステップＳ２０８へ移行し、特別始動記憶数Ｐ＜４であると判定した場合は、大当りカウンタ・図柄カウンタ・リーチカウンタ・態様カウンタのその時点の値を抽出し（Ｓ２０４）、ステップＳ２０４で抽出した各カウンタ値を纏めて一個の特別始動記憶として記憶装置ＲＡＭの特別始動記憶領域に格納し（Ｓ２０５）、さらに、保留標識を追加表示する保留標識追加処理（Ｓ２０６）を実行し、特別始動記憶数Ｐに１を加算して（Ｓ２０７）、ステップＳ２０８へ移行する。保留標識追加処理については後述する。
【００８３】
ステップＳ２０８では、一般入賞口２８への入賞があったか否か、すなわち、一般入賞装置２９の球検知スイッチから球検出信号の入力があったか否かを判定する。そして、入賞があったと判定した場合は、賞球数１０個の賞球コマンドをセットして（Ｓ２０９）からステップＳ２１０へ移行し、入賞なしと判定した場合はそのままステップＳ２１０へ移行する。
【００８４】
ステップＳ２１０では、大入賞口２５への入賞があったか否か、すなわち特別電動役物２６の球検知スイッチから球検出信号の入力があったか否かを判定する。そして、入賞があったと判定した場合は、賞球数１５個の賞球コマンドをセットして（Ｓ２１１）からステップＳ２１２へ移行し、入賞なしと判定した場合はそのままステップＳ２１２へ移行する。
【００８５】
ステップＳ２１２では、普通始動口１９を遊技球が通過したか否か、すなわち普通始動ゲート２１の球検知スイッチから球検出信号の入力があったか否かを判定する。そして、遊技球が通過していないと判定した場合は入賞検出処理を終了する。一方、普通始動口１９を遊技球が通過したと判定した場合は、ステップＳ２１３へ移行する。
【００８６】
ステップＳ２１３では、普通始動記憶数ＱがＱ＜４であるか否かを判定し、Ｑ＜４でないと判定した場合は、そのまま入賞検出処理を終了し、Ｑ＜４であると判定した場合は、普通図柄の当落判定用の普通当りカウンタのその時点の値を抽出し（Ｓ２１４）、抽出したカウンタ値を記憶装置ＲＡＭの普通始動記憶領域に格納し（Ｓ２１５）、さらに、普通始動記憶数Ｑに１を加算して（Ｓ２１６）、入賞検出処理を終了する。
【００８７】
次に、上記特別始動口処理（図１１、Ｓ１０５）を図１３にしたがって説明する。
【００８８】
まず、主制御用中央制御装置ＣＰＵは、図柄生成行程を開始可能な状態であるか否か、すなわち、既に図柄生成行程を実行中であったり、特別遊技状態であったりしないかを判定する（Ｓ３０１）。そして、図柄生成行程実行中や特別遊技状態であると判定した場合は、そのまま特別始動口処理を終了する。一方、図柄生成行程を開始可能であると判定した場合には、まず、特別始動記憶数ＰがＰ＞０であるか否かを判定する（Ｓ３０２）。そして、Ｐ＞０でないと判定した場合は、そのまま特別始動口処理を終了する。一方、Ｐ＞０であると判定した場合には、特別始動記憶領域に記憶された特別始動記憶の中で、最も先に記憶された特別始動記憶を記憶領域１からロードし（Ｓ３０３）、次に、該特別始動記憶を記憶領域１から削除するとともに、記憶領域２〜４の特別始動記憶を記憶領域１〜３にシフトし（Ｓ３０４）、続いて、特別始動記憶数Ｐから「１」を減算し（Ｓ３０５）、さらに、図柄生成行程の開始を示す特別図柄開始フラグを「１」にして（Ｓ３０６）、最後に、保留標識３５，３６を減少させる保留標識減少コマンドをセットして（Ｓ３０７）、ステップＳ３０８へ移行する。
【００８９】
ステップＳ３０８では、確変フラグが「１」であるか否かを判定する。この確変フラグは、確変遊技状態中に「１」となり、確変遊技状態でない時に「０」となるものである。そして、確変フラグが「１」である場合には高確率時の大当り値をセットし（Ｓ３１０）、確変フラグが「０」である場合には通常確率時の大当り値をセットして（Ｓ３０９）、ロードした特別始動記憶の大当りカウンタ値がセットされた大当り値のいずれかと一致するか否かを判定する（Ｓ３１１）。そして、大当りカウンタ値が大当り値のいずれかと一致した場合には、確変フラグを「０」に（Ｓ３１３）、大当りフラグを「１」にして（Ｓ３１４）、その後に、ロードした特別始動記憶に基づいて当選種類の振分けを行う当選種別処理（Ｓ３１５）を行い、ステップＳ３１６へ移行する。一方、格納された大当りカウンタ値が大当り値のいずれとも一致しなかった場合はハズレフラグを「１」にして（Ｓ３１２）からステップＳ３１６へ移行する。ステップＳ３１６では、ロードした特別始動記憶の各種カウンタ値の値や、当選種別処理（Ｓ３１４）の結果などに基づいて特別図柄及び演出図柄３４の変動パターンを決定する。そして、続くステップＳ３１７では、ステップＳ３１６で決定した演出図柄３４の変動パターンを演出制御基板６４に実行させるためのコマンドをセットして、特別始動口処理を終了する。
【００９０】
次に、上記保留標識追加処理（図１２、Ｓ２０６）を図１４にしたがって説明する。
【００９１】
まず、主制御用中央制御装置ＣＰＵは、確変フラグが「０」であるか否か（Ｓ４０１）、特別始動記憶数ＰがＰ＝３であるか否か（Ｓ４０３）を判定する。そして、確変フラグが「０」でないと判定した場合、又は、特別始動記憶数ＰがＰ＝３でないと判断した場合は、保留標識複合演出処理を指示しない第一保留標識追加コマンドをセットして（Ｓ４０２）、保留標識追加処理を終了する。一方、ステップＳ４０１，Ｓ４０３で確変フラグが「０」であり、かつ、特別始動記憶数ＰがＰ＝３であると判断した場合と判定した場合は、特別始動記憶領域に記憶された特別始動記憶の中で、最も新しい特別始動記憶を記憶領域からロードし（Ｓ４０４）、標識態様カウンタのその時点の値を抽出し（Ｓ４０５）、ステップＳ４０６へ移行する。そして、ステップＳ４０６では、ロードした特別始動記憶の大当りカウンタ値と、抽出した標識態様カウンタ値とを、判定テーブル（図１０参照）と比較することにより、演出制御基板６４に送信する保留標識追加コマンドの種類を決定し、続くステップＳ４０７で、決定した保留標識追加コマンドをセットして、保留標識追加処理を終了する。
【００９２】
以上の制御処理（図１１〜１４）にあって、本発明における「始動記憶生成手段」に係る制御処理は、ステップＳ２０４で主に実行される。また、本発明における「図柄制御手段」に係る制御処理は、ステップＳ１０５，Ｓ１０７で主に実行される。また、本発明における「始動記憶保持手段」に係る制御処理は、ステップＳ２０５で主に実行される。また、本発明における「当り遊技制御手段」に係る制御処理は、ステップＳ１０９で主に実行される。また、本発明における「保留表示手段」に係る制御処理は、ステップＳ２０６，Ｓ３０７で主に実行される。特に、本発明に係る「保留標識複合演出処理」は、ステップＳ３０７，Ｓ３１７，Ｓ４０１〜Ｓ４０７によって主に実現される。また、本発明に係る「表示態様決定処理」は、ステップＳ４０６で主に実行される。
【００９３】
なお、本発明のパチンコ遊技機は、上記実施例及び変形例の形態に限らず本発明の要旨を逸脱しない範囲内において種々変更を加えることができる。例えば、上記実施例では、保留標識複合演出処理で期待度を報知される大当りは、全ての大当り（特別図柄の全ての当たり態様）を対象としていたが、賞球が殆ど得られないような大当りが存在する場合には、保留標識複合演出処理で期待度を報知する対象を、多量の賞球を獲得可能な大当り（特別図柄の特定の当り態様）のみとしてもかまわない。
【００９４】
また、上記実施例では、保留標識表示装置（画像表示器１４）に表示される保留標識の数は、特別始動記憶数Ｐを厳密に反映するものであるが、本発明にあって、保留標識表示装置に表示する保留標識の数は、特別始動記憶数Ｐを厳密に反映するものに限らず、多少の演出要素を加えることが可能である。また、同一の始動記憶数について、複数種類の保留標識表示装置を備える構成にあっては、少なくとも一方の保留標識表示装置に本発明の構成を適用すれば足りる。
【００９５】
また、上記実施例では、画像表示器１４が本発明に係る保留標識表示装置及び消去時態様累積表示装置を構成しているが、本発明に係る保留標識表示装置及び消去時態様累積表示装置は、ランプで構成されるものであってもよい。この場合、各ランプの点灯色や点滅態様等によって保留標識の表示態様を相違させることが可能である。
【００９６】
また、上記実施例では、保留標識複合演出処理に消去直前の保留標識の表示態様の順列によって、大当りの期待度を報知しているが、本発明にあっては、表示態様の組合せ（表示順序関係なし）によって、大当りの期待度を報知することも可能である。また、上記実施例では、消去直前の保留標識の表示態様が構成する文字列によって大当りの期待度を報知しているが、保留標識複合演出処理で大当りの期待度を報知する特殊表示態様の組合せは、文字列以外の図柄組合せなどを採用してもかまわない。また、保留標識複合演出処理で大当りの期待度を報知する特殊表示態様の組合せは、大当りの期待度の異なるものを複数種類用意することができる。また、上記実施例では、保留標識複合演出処理で大当り期待度を報知する対象は、未消化の特別始動記憶であるが、本発明にあって、図柄生成行程で、図柄停止保留標識複合演出処理で大当り期待度を報知する対象は、未消化の特別始動記憶に係る図柄生成行程に限らず、実行中の図柄生成行程を対象にすることもできる。
【符号の説明】
【００９７】
１  パチンコ遊技機
１４  画像表示器（保留標識表示装置）
１５  特別図柄表示装置
２０  特別始動口
２５  大入賞口
３１  保留標識表示部
３２  消去時態様表示部
３５  保留標識（通常表示態様）
３６  保留標識（特殊表示態様）
３８  消去時態様標識
【図１】
2014212943.tif 000003
【図２】
2014212943.tif 000004
【図３】
2014212943.tif 000005
【図４】
2014212943.tif 000006
【図５】
2014212943.tif 000007
【図６】
2014212943.tif 000008
【図７】
2014212943.tif 000009
【図８】
2014212943.tif 000010
【図９】
2014212943.tif 000011
【図１０】
2014212943.tif 000012
【図１１】
2014212943.tif 000013
【図１２】
2014212943.tif 000014
【図１３】
2014212943.tif 000015
【図１４】
2014212943.tif 000016